(57)【要約】【課題】２軸周りに揺動が可能な揺動部を備えるＭＥＭＳに於ける、揺動部の共振の抑制又は防止、一方の軸周りの不必要な揺動の抑制又は防止、共振又は不必要な揺動が発生した場合の速やかな収束が可能なＭＥＭＳ制御装置とＭＥＭＳ制御方法の提供を目的とする。【解決手段】少なくとも、２つの支持部と、支持部に支持された２つの揺動部を有するＭＥＭＳに、２つの支持部をそれぞれ中心軸として揺動部に発生する各々の揺動角度を制御する為の各電圧を供給し、各電圧が、初期電圧V0（Ｖ）から、揺動部の揺動角度を所望の設定値角度に制御する設定電圧V1（Ｖ）に遷移する途中で、V0（Ｖ）及びV1（Ｖ）のどちらも除く電圧値である電圧V2（Ｖ）を供給するＭＥＭＳ制御装置、ＭＥＭＳ制御方法とする。【選択図】図５
2019045021.tif 000002
【特許請求の範囲】
【請求項１】
少なくとも、２つの支持部と、支持部に支持された２つの揺動部を有するＭＥＭＳに、２つの支持部をそれぞれ中心軸として揺動部に発生する各々の揺動角度を制御する為の各電圧を供給し、
各電圧が、初期電圧V0（Ｖ）から、揺動部の揺動角度を所望の設定値角度に制御する設定電圧V1（Ｖ）に遷移する途中で、V0（Ｖ）及びV1（Ｖ）のどちらも除く電圧値である電圧V2（Ｖ）を供給するＭＥＭＳ制御装置。
【請求項２】
前記各電圧の前記V2（Ｖ）を、前記V0（Ｖ）超及び前記V1（Ｖ）未満か、前記V0（Ｖ）未満及び前記V1（Ｖ）超の何れかとする請求項１に記載のＭＥＭＳ制御装置。
【請求項３】
前記各電圧の少なくとも１つの前記V2（Ｖ）を、前記V0（Ｖ）超及び前記V1（Ｖ）超か、前記V0（Ｖ）未満及び前記V1（Ｖ）未満の何れかとする請求項１に記載のＭＥＭＳ制御装置。
【請求項４】
前記各電圧を同期に供給する請求項１〜３の何れかに記載のＭＥＭＳ制御装置。
【請求項５】
前記各電圧の各々の前記V2（Ｖ）を、共に前記ＭＥＭＳに同時に供給する請求項１〜４の何れかに記載のＭＥＭＳ制御装置。
【請求項６】
２つの前記支持部の互いの前記中心軸が直交している請求項１〜５の何れかに記載のＭＥＭＳ制御装置。
【請求項７】
前記揺動部がミラーである請求項１〜６の何れかに記載のＭＥＭＳ制御装置。
【請求項８】
少なくとも、２つの支持部と、支持部に支持された２つの揺動部を有するＭＥＭＳに、２つの支持部をそれぞれ中心軸として揺動部に発生する各々の揺動角度を制御する為の各電圧を供給し、
各電圧が、初期電圧V0（Ｖ）から、揺動部の揺動角度を所望の設定値角度に制御する設定電圧V1（Ｖ）に遷移する途中で、V0（Ｖ）及びV1（Ｖ）のどちらも除く電圧値である電圧V2（Ｖ）を供給するＭＥＭＳ制御方法。
【請求項９】
前記各電圧の前記V2（Ｖ）を、前記V0（Ｖ）超及び前記V1（Ｖ）未満か、前記V0（Ｖ）未満及び前記V1（Ｖ）超の何れかとする請求項８に記載のＭＥＭＳ制御方法。
【請求項１０】
前記各電圧の少なくとも１つの前記V2（Ｖ）を、前記V0（Ｖ）超及び前記V1（Ｖ）超か、前記V0（Ｖ）未満及び前記V1（Ｖ）未満の何れかとする請求項８に記載のＭＥＭＳ制御方法。
【請求項１１】
前記各電圧を同期に供給する請求項８〜１０の何れかに記載のＭＥＭＳ制御方法。
【請求項１２】
前記各電圧の各々の前記V2（Ｖ）を、共に前記ＭＥＭＳに同時に供給する請求項８〜１１の何れかに記載のＭＥＭＳ制御方法。
【請求項１３】
２つの前記支持部の互いの前記中心軸が直交している請求項８〜１２の何れかに記載のＭＥＭＳ制御方法。
【請求項１４】
前記揺動部がミラーである請求項８〜１３の何れかに記載のＭＥＭＳ制御方法。
【発明の詳細な説明】
【技術分野】
【０００１】
本発明は、ＭＥＭＳ制御装置及びＭＥＭＳ制御方法に関する。
【背景技術】
【０００２】
従来から、ミラー等の揺動部を有するＭＥＭＳ（Ｍｉｃｒｏ Ｅｌｅｃｔｒｏ Ｍｅｃｈａｎｉｃａｌ Ｓｙｓｔｅｍｓ）が知られている。【０００３】
ミラーを備えるＭＥＭＳとして、例えば光スイッチ（ＭＥＭＳ光スイッチ）が挙げられる。ＭＥＭＳ光スイッチは、１つ若しくは複数の光入力ポートと、同じく１つ若しくは複数の光出力ポートを有する。更にこれら光入出力ポート間の光路に、ＭＥＭＳによる制御機構を備える可動式のミラー（ＭＥＭＳミラー）が配置され、光入力ポートと光出力ポートを光学的に結合させる。【０００４】
この様なＭＥＭＳ光スイッチでは、制御用の電圧を制御機構に印加する事でミラーの傾きを変え、光入力ポートと光出力ポートの光学的な結合を変化させ、光の伝搬路を切り替えている。【０００５】
上記ＭＥＭＳ光スイッチに搭載されるＭＥＭＳミラーとして、例えば静電櫛歯型のＭＥＭＳミラーが特許文献１に開示されている。特許文献１には、X-X’軸及びY-Y’軸の２軸周りに制御が可能なＭＥＭＳミラーが開示されている。【０００６】
特許文献１開示のＭＥＭＳミラーの様に、X-X’軸及びY-Y’軸の２軸周りに制御可能にＭＥＭＳミラーが構成される事で、より緻密にＭＥＭＳミラーの角度制御が可能となり、光入力ポートからの光の反射方向をより正確に制御する事が出来る。従って、複数の光入力ポートと光出力ポートをより正確に光学的に結合する事が可能となる。
【先行技術文献】
【特許文献】
【０００７】
【特許文献１】特開２０１３−０２９８４９号公報
【発明の概要】
【発明が解決しようとする課題】
【０００８】
本出願人は、特許文献１記載のＭＥＭＳミラーに図９上段に示す電圧を供給し、ＭＥＭＳミラーの揺動動作を検証した。その動作検証の結果を、図９下段に示す。図９下段より、ＭＥＭＳミラーは電圧V1（Ｖ）が供給された時点で共振して揺動する事が判明した。その理由として、ＭＥＭＳミラーが機械的な構造体なので、何らかの共振周波数特性を有する為と本出願人は結論付けた。【０００９】
また図９下段に示す揺動動作をＭＥＭＳミラーが起こした場合の、ＭＥＭＳ光スイッチに於ける光出力ポートからの光出力と経過時間との関係も本出願人は検証した。その結果を図１０に示す。【００１０】
図１０より、ＭＥＭＳミラーが共振して揺動した後に徐々に減衰し、ミラーの傾き角度が設定値角度に収束する過程で、光出力ポートに伝搬される光の光出力にリンギングが発生する事が確認された。ＭＥＭＳ光スイッチの場合、ミラーの共振時の揺動により所望の光出力ポートへの光の伝搬が断続的になってしまい、リンギングが発生する。従って、光学的なスイッチング時間の冗長化を招いてしまう事を、本出願人は検証により確認した。【００１１】
更に、特許文献１記載の２軸周りに制御可能なＭＥＭＳミラーでは、片方の軸だけを中心軸としてＭＥＭＳミラーを揺動させたい場合、揺動させたい中心軸は１軸にも関わらず、実際には２軸両方に揺動動作が現れる事が、本出願人の検証により判明した。この原因として、二つの軸がＭＥＭＳミラーの構造内部で機械的な結合箇所が存在する為、一方の軸の揺動動作が他方に影響を及ぼす為であると、本出願人は考察した。この様に２軸両方に揺動動作が現れる事によって、光出力ポートに伝搬される光の光出力に、更にリンギングが発生する事を本出願人は検証により確認した。【００１２】
本発明は、上記課題に鑑みてなされたものであり、２軸周りに揺動が可能な揺動部を備えるＭＥＭＳに於ける、揺動部の共振の抑制又は防止、一方の軸周りの不必要な揺動の抑制又は防止、共振又は不必要な揺動が発生した場合の速やかな収束が可能なＭＥＭＳ制御装置とＭＥＭＳ制御方法の提供を目的とする。
【課題を解決するための手段】
【００１３】
前記課題は、以下の本発明により解決される。即ち本発明のＭＥＭＳ制御装置は少なくとも、２つの支持部と、支持部に支持された２つの揺動部を有するＭＥＭＳに、２つの支持部をそれぞれ中心軸として揺動部に発生する各々の揺動角度を制御する為の各電圧を供給し、各電圧が、初期電圧V0（Ｖ）から、揺動部の揺動角度を所望の設定値角度に制御する設定電圧V1（Ｖ）に遷移する途中で、V0（Ｖ）及びV1（Ｖ）のどちらも除く電圧値である電圧V2（Ｖ）を供給する事を特徴とする。【００１４】
また本発明のＭＥＭＳ制御方法は少なくとも、２つの支持部と、支持部に支持された２つの揺動部を有するＭＥＭＳに、２つの支持部をそれぞれ中心軸として揺動部に発生する各々の揺動角度を制御する為の各電圧を供給し、各電圧が、初期電圧V0（Ｖ）から、揺動部の揺動角度を所望の設定値角度に制御する設定電圧V1（Ｖ）に遷移する途中で、V0（Ｖ）及びV1（Ｖ）のどちらも除く電圧値である電圧V2（Ｖ）を供給する事を特徴とする。
【発明の効果】
【００１５】
本発明のＭＥＭＳ制御装置及びＭＥＭＳ制御方法に依れば、２軸周りに揺動が可能な揺動部を備えるＭＥＭＳの構造や機械的な特性に関わらず、供給する電圧を変更するだけで揺動部の共振が抑制又は防止出来る。更に、一方の軸周りの不必要な揺動の抑制又は防止も可能となる。従って、共振又は一方の軸周りの不必要な揺動が発生したとしても、速やかに収束させる事が出来る。
【図面の簡単な説明】
【００１６】
【図１】本発明の実施形態に係るＭＥＭＳの構造の一例を模式的に示す平面図である。
【図２】本発明の実施形態に係るＭＥＭＳの構造の変更例を模式的に示す平面図である。
【図３】本発明の実施形態及び実施例に係るＭＥＭＳを制御する電圧の供給例と、ＭＥＭＳ光スイッチに於ける光出力ポートからの光出力と経過時間との関係を示すグラフである。
【図４】本発明の他の実施形態及び実施例に係るＭＥＭＳを制御する電圧の供給例と、ＭＥＭＳ光スイッチに於ける光出力ポートからの光出力と経過時間との関係を示すグラフである。
【図５】本発明の更に他の実施形態及び実施例に係るＭＥＭＳを制御する電圧の供給例と、ＭＥＭＳ光スイッチに於ける光出力ポートからの光出力と経過時間との関係を示すグラフである。
【図６】本発明の更に他の実施形態及び実施例に係るＭＥＭＳを制御する電圧の供給例と、ＭＥＭＳ光スイッチに於ける光出力ポートからの光出力と経過時間との関係を示すグラフである。
【図７】比較例に係るＭＥＭＳを制御する電圧の供給例と、ＭＥＭＳ光スイッチに於ける光出力ポートからの光出力と経過時間との関係を示すグラフである。
【図８】他の比較例に係るＭＥＭＳを制御する電圧の供給例と、ＭＥＭＳ光スイッチに於ける光出力ポートからの光出力と経過時間との関係を示すグラフである。
【図９】従来のＭＥＭＳミラーを制御する電圧の供給例と、ＭＥＭＳミラーの揺動角度と経過時間との関係を示すグラフである。
【図１０】従来のＭＥＭＳ光スイッチに備えられるＭＥＭＳミラーが共振を起こした場合に於ける、光出力と経過時間との関係を示すグラフである。
【発明を実施するための形態】
【００１７】
本実施の形態の第一の特徴は、少なくとも、２つの支持部と、支持部に支持された２つの揺動部を有するＭＥＭＳに、２つの支持部をそれぞれ中心軸として揺動部に発生する各々の揺動角度を制御する為の各電圧を供給し、各電圧が、初期電圧V0（Ｖ）から、揺動部の揺動角度を所望の設定値角度に制御する設定電圧V1（Ｖ）に遷移する途中で、V0（Ｖ）及びV1（Ｖ）のどちらも除く電圧値である電圧V2（Ｖ）を供給するＭＥＭＳ制御装置及びＭＥＭＳ制御方法とした事である。
【００１８】
以上のＭＥＭＳ制御装置及びＭＥＭＳ制御方法に依れば、２軸周りに揺動が可能な揺動部を備えるＭＥＭＳの構造や機械的な特性に関わらず、供給する電圧を変更するだけで揺動部の共振が抑制又は防止出来る。更に、一方の軸周りの不必要な揺動の抑制又は防止も可能となる。従って、共振又は一方の軸周りの不必要な揺動が発生したとしても、速やかに収束させる事が出来る。
【００１９】
第二の特徴は、各電圧のV2（Ｖ）を、V0（Ｖ）超及びV1（Ｖ）未満か、V0（Ｖ）未満及びV1（Ｖ）超の何れかとするＭＥＭＳ制御装置及びＭＥＭＳ制御方法とした事である。
【００２０】
以上のＭＥＭＳ制御装置及びＭＥＭＳ制御方法に依れば、ＭＥＭＳの揺動部の共振を、より抑制又はより確実に防止する事が出来る。更に、一方の軸周りの不必要な揺動を、より抑制又はより確実に防止可能となる。従って、共振又は一方の軸周りの不必要な揺動が発生したとしても、より速やかに収束させる事が出来る。
【００２１】
第三の特徴は、各電圧の少なくとも１つのV2（Ｖ）を、V0（Ｖ）超及びV1（Ｖ）超か、V0（Ｖ）未満及びV1（Ｖ）未満の何れかとするＭＥＭＳ制御装置及びＭＥＭＳ制御方法とした事である。
【００２２】
以上のＭＥＭＳ制御装置及びＭＥＭＳ制御方法に依れば、ＭＥＭＳの揺動部の共振を、最も確実に抑制又は防止する事が出来る。更に、一方の軸周りの不必要な揺動を、最も確実に抑制又は防止する事が可能となる。従って、共振又は一方の軸周りの不必要な揺動が発生したとしても、確実により速やかに収束させる事が出来る。
【００２３】
第四の特徴は、各電圧を同期に供給するＭＥＭＳ制御装置及びＭＥＭＳ制御方法とした事である。
【００２４】
以上のＭＥＭＳ制御装置及びＭＥＭＳ制御方法に依れば、前記各効果に加えて、ＭＥＭＳの一方の支持部を中心軸として共振又は不必要な揺動が発生しても、その共振又は揺動が発生した時点で、もう一方の支持部に電圧を供給する事が出来る。従って、ＭＥＭＳの一方の支持部を中心軸として共振又は不必要な揺動が発生しても、その共振又は揺動を抑える方向に、もう一方の支持部を中心軸とする揺動を発生させる事が可能となる。よって、共振又は一方の軸周りの不必要な揺動が発生しても、速やかに収束させる事が出来る。
【００２５】
なお本発明に於ける同期とは、電圧供給開始によりＭＥＭＳの揺動部の制御を開始する時点（タイミング）が、２つの支持部間で同一である、という意味である。
【００２６】
第五の特徴は、各電圧の各々のV2（Ｖ）を、共にＭＥＭＳに同時に供給するＭＥＭＳ制御装置及びＭＥＭＳ制御方法とした事である。
【００２７】
以上のＭＥＭＳ制御装置及びＭＥＭＳ制御方法に依れば、前記各効果に加えて、ＭＥＭＳの一方の支持部を中心軸として共振又は不必要な揺動が発生しても、もう一方の支持部に電圧を供給する事が出来る。従って、ＭＥＭＳの一方の支持部を中心軸として共振又は不必要な揺動が発生しても、その共振又は揺動を抑える方向に、もう一方の支持部を中心軸とする揺動を発生させる事が可能となる。よって、共振又は一方の軸周りの不必要な揺動が発生しても、速やかに収束させる事が出来る。
【００２８】
第六の特徴は、２つの支持部の互いの中心軸が直交しているＭＥＭＳ制御装置及びＭＥＭＳ制御方法とした事である。
【００２９】
以上のＭＥＭＳ制御装置及びＭＥＭＳ制御方法に依れば、前記各効果に加えて、揺動部の制御がより容易となる。従って、より容易に揺動部の共振を抑制又は防止する事が出来る。更に一方の軸周りの不必要な揺動も、より容易に抑制又は防止可能となる。従って、共振又は一方の軸周りの不必要な揺動を、より容易に収束させる事が出来る。
【００３０】
第七の特徴は、揺動部がミラーであるＭＥＭＳ制御装置及びＭＥＭＳ制御方法とした事である。
【００３１】
以上のＭＥＭＳ制御装置及びＭＥＭＳ制御方法に依れば、前記各効果に加えて、ミラーを例えばＭＥＭＳ光スイッチに使用した場合に、光出力ポートに伝搬される光のリンギングの発生が防止される。よって、光入力ポート及び／又は光出力ポートの光学的なスイッチング時間が短縮され、高速でのスイッチング動作が可能となる。
【００３２】
以下、図１〜図６を参照して本発明の実施形態に係るＭＥＭＳ制御装置とＭＥＭＳ制御方法を説明する。
【００３３】
本実施形態に於いて被制御対象となるＭＥＭＳは少なくとも、２つの支持部と、支持部に支持された２つの揺動部を有する。具体的な構造としては、図１に示すように、２つの支持部の中心軸が互いに直交し静電引力により制御される、平板電極型ＭＥＭＳ１（以下、ＭＥＭＳ1と記載）が一例として挙げられる。なお、図１は断面図では無いものの、ＭＥＭＳ１の構造の見易さを優先してハッチングを掛けている。
【００３４】
図１のようなＭＥＭＳ１に、図示しないＭＥＭＳ制御装置から電圧が供給される。電圧の供給によりＭＥＭＳ１の揺動部2aは、支持部3aを中心軸として、Ｘ軸周りで揺動する。また、揺動部2bは支持部2bを中心軸として、Ｙ軸周りで揺動する。即ち、ＭＥＭＳ制御装置からＭＥＭＳに供給する電圧には、Ｘ軸制御用電圧（Ｘ電圧）と、Ｙ軸制御用電圧（Ｙ電圧）の、各電圧が有る。揺動部2a及び2bに発生するＸ軸周り及びＹ軸周りの各々の揺動角度は、これら各電圧により制御される。
【００３５】
ＭＥＭＳ制御装置は、電圧出力装置等により構成する事ができ、切換スケジュールに従って電圧をＸ軸及びＹ軸毎に、図示しない電極に供給する。
【００３６】
支持部3aはＸ軸方向に延設して揺動部2aと2bとを連結し、支持部3aをＸ軸周りに揺動可能に支持している。揺動部2bは、揺動部2aの外周に設けられ、且つ揺動部2aを包囲する様に形成されている。更に、支持部3bはＹ軸方向に延設して揺動部2bと外側固定枠部４とを連結し、支持部3bをＹ軸周りに揺動可能に支持している。従って揺動部2aは、支持部3bにより揺動部2bごとＹ軸周りで揺動可能に支持されている。よって揺動部2aは、Ｘ軸、及び直交するＹ軸の２軸周りの揺動が可能である。
【００３７】
ＭＥＭＳ１は、少なくとも二層のシリコンウエハで形成されており、各シリコンウエハは、ｎ型又はｐ型にドープされた導電性のシリコンから成る。更に、二層のシリコンウエハ間には、電気的な絶縁層としてシリコン酸化物が形成されており、そのシリコン酸化物を介して二層のシリコンウエハが接合されている。ＭＥＭＳ１の前述した各構成要素が、各層のシリコンウエハ毎に一体形成され、各層は電気的に等電位である。なお二層のシリコンウエハと絶縁層が予め一体化された、シリコンオンインシュレータ（ＳＯＩ：Ｓｉｌｉｃｏｎ−ｏｎ−Ｉｎｓｕｌａｔｏｒ）ウエハを用いても良い。
【００３８】
本実施形態のＭＥＭＳは、図２に示すような２つの支持部3a、3bの中心軸が互いに直交し静電引力により制御される、静電櫛歯型ＭＥＭＳ５（以下、ＭＥＭＳ５と記載）でも良い。なお、ＭＥＭＳ１と同一箇所には同一の引き出し番号を付し、重複する説明は省略又は簡略化して記載する。なお、図２も断面図では無いものの、ＭＥＭＳ５の構造の見易さを優先してハッチングを掛けている。
【００３９】
Ｘ軸周りに於いて、外側櫛歯2a1と内側櫛歯2b1間に図示しないＭＥＭＳ制御装置から電圧が供給されると、静電エネルギーが低下する様に、Ｘ軸周りの外側櫛歯2a1、即ち揺動部2aにＸ軸周りのトルクが発生する。
【００４０】
またＹ軸周りに於いて、外側櫛歯2b2と内側櫛歯4a間に電圧が印加されると、静電エネルギーが低下する様に、Ｙ軸周りの外側櫛歯2b2、即ち、揺動部2aに一体に連結されている内側可動枠体（即ち揺動部2b）にＹ軸周りのトルクが発生する。よって、揺動部2aはＸ軸及び直交するＹ軸の２軸周りの揺動が可能になる。
【００４１】
揺動部2aの揺動角度を所望の角度に制御するに当たり、Ｘ軸及びＹ軸毎に各電圧を、初期電圧V0（Ｖ）から、揺動部2aの揺動角度を所望の設定値角度θに制御する設定電圧V1（Ｖ）に遷移させて供給する。但し本実施形態では、各電圧を初期電圧V0（Ｖ）からV1（Ｖ）に遷移する途中で、図３〜図６に示すようにV0（Ｖ）及びV1（Ｖ）のどちらも除く電圧値である電圧V2（Ｖ）をＭＥＭＳ１又は５に供給するように、各電圧の供給を制御する。
【００４２】
V2（Ｖ）の電圧値は、そのV2（Ｖ）を揺動部2aに供給した時、揺動部2aの最大振れ幅が設定値角度θとなる電圧値とする。V2（Ｖ）の供給により設定値角度θまで揺動部2aが振れた時点（タイミング）でV1（Ｖ）を供給する。
【００４３】
初期電圧V0（Ｖ）から設定電圧V1（Ｖ）への遷移途中にV2（Ｖ）を供給して揺動部2aを設定値角度θまで予め振らせておき、揺動部2aが設定値角度θまで振れた時点（例えば図３中の時間t2経過時点）でV1（Ｖ）を供給する。この様にV2（Ｖ）を供給する事で、揺動部2aが初期状態から直接、設定値角度θで共振する事が防止可能である事を、本出願人は検証により見出した。即ち、V2（Ｖ）の供給により揺動部2aが設定値角度θに揺動部2aが振れようとする為、揺動部2aの共振が抑制又は防止可能となる。
【００４４】
なお図６のように、Ｘ軸及びＹ軸毎の設定値角度θまでの遷移時間が異なる場合（Ｘ軸及びＹ軸のどちらかの軸の遷移時間が長い場合）、時間が長い方のV1（Ｖ）供給開始に伴って揺動部2aの共振が抑制又は解消される。
【００４５】
このように本実施形態に係るＭＥＭＳ制御装置及びＭＥＭＳ制御方法に依れば、２軸周りに揺動が可能な揺動部2aを備えるＭＥＭＳ１又は５の構造や機械的な特性に関わらず、供給する各電圧をV0（Ｖ）からV1（Ｖ）に遷移する途中でV2（Ｖ）を供給するように変更するだけで、揺動部2aの共振が抑制又は防止出来る。更に、一方の軸周りの不必要な揺動の抑制又は防止も可能となる。従って、共振又は一方の軸周りの不必要な揺動が発生したとしても、速やかに収束させる事が出来る。
【００４６】
V2（Ｖ）の設定値としては、図３に示すように各電圧のV2（Ｖ）をV0（Ｖ）超及びV1（Ｖ）未満か、図４に示すようにV0（Ｖ）未満及びV1（Ｖ）超の何れかとする。又は、図５に示すように各電圧の少なくとも１つのV2（Ｖ）をV0（Ｖ）超及びV1（Ｖ）超（オーバーシュート）か、図６に示すようにV0（Ｖ）未満及びV1（Ｖ）未満（アンダーシュート）の何れかにV2（Ｖ）の値を設定すれば良い。
【００４７】
V2（Ｖ）をV0（Ｖ）超及びV1（Ｖ）未満か、V0（Ｖ）未満及びV1（Ｖ）超に設定する場合は、図３又は図４以外にも供給形態が考えられる。例えば、一方の支持部に供給する電圧のV2（Ｖ）を、V0（Ｖ）超及びV1（Ｖ）未満に設定した場合は、他方の支持部に供給する電圧のV2（Ｖ）を、V0（Ｖ）未満及びV1（Ｖ）超に設定しても良い。
【００４８】
この様に、Ｘ軸及びＹ軸に於けるV2（Ｖ）の設定値を共に、V0（Ｖ）超及びV1（Ｖ）未満か、V0（Ｖ）未満及びV1（Ｖ）超の何れかに設定する事により、ＭＥＭＳ１又は５の揺動部2aの共振を、より抑制又はより確実に防止する事が出来る。更に、一方の軸周りの不必要な揺動を、より抑制又はより確実に防止可能となる。従って、共振又は一方の軸周りの不必要な揺動が発生したとしても、より速やかに収束させる事が出来る。
【００４９】
また、図５か図６に示すように各電圧の少なくとも１つのV2（Ｖ）を、V0（Ｖ）超及びV1（Ｖ）超か、V0（Ｖ）未満及びV1（Ｖ）未満の何れかに設定する事により、ＭＥＭＳ１又は５の揺動部2aの共振を、最も確実に抑制又は防止する事が出来る。更に、一方の軸周りの不必要な揺動を、最も確実に抑制又は防止する事が可能となる。従って、共振又は一方の軸周りの不必要な揺動が発生したとしても、確実により速やかに収束させる事が出来る。
【００５０】
なお、各電圧は図３〜図６に示すようにそれぞれ同期に供給する事がより好ましい。その理由として、ＭＥＭＳ１又は５の一方の支持部を中心軸として共振又は不必要な揺動が発生しても、その共振又は揺動が発生した時点で、もう一方の支持部に電圧を供給する事が出来る為である。従って、ＭＥＭＳ１又は５の一方の支持部を中心軸として共振又は不必要な揺動が発生しても、その共振又は揺動を抑える方向に、もう一方の支持部を中心軸とする揺動を発生させる事が可能となる。よって、共振又は一方の軸周りの不必要な揺動が発生しても、速やかに収束させる事が出来る。
【００５１】
なお本実施形態に於ける同期とは、電圧供給開始によりＭＥＭＳ１又は５の揺動部2aの制御を開始する時点（タイミング）が、２つの支持部3a、3b間で同一である、という意味である。
【００５２】
更に、各電圧の各々のV2（Ｖ）を両方共にＭＥＭＳ１又は５に同時に供給する時点（タイミング）が有る事がより望ましい。即ち、図３〜図６での各電圧の供給時間軸上に於いて、各々のV2（Ｖ）が重なり合って供給される時間が存在すると云う事である。
【００５３】
各々のV2（Ｖ）を両方共にＭＥＭＳ１又は５に同時に供給する事により、ＭＥＭＳ１又は５の一方の支持部を中心軸として共振又は不必要な揺動が発生しても、もう一方の支持部に電圧を供給する事が出来る。従って、ＭＥＭＳ１又は５の一方の支持部を中心軸として共振又は不必要な揺動が発生しても、その共振又は揺動を抑える方向に、もう一方の支持部を中心軸とする揺動を発生させる事が可能となる。よって、共振又は一方の軸周りの不必要な揺動が発生しても、速やかに収束させる事が出来る。
【００５４】
なお被制御対象であるＭＥＭＳは、ＭＥＭＳ１又は５のように２つの支持部3a、3bの互いの中心軸が直交している構造が好ましい。その理由は、２つの支持部3a、3bの互いの中心軸が直交している事により、揺動部2aの揺動角度の制御がより容易になる為である。従って、より容易に揺動部2aの共振を抑制又は防止する事が出来る。更に一方の軸周りの不必要な揺動も、より容易に抑制又は防止可能となる。従って、共振又は一方の軸周りの不必要な揺動を、より容易に収束させる事が出来る。
【００５５】
本実施形態に係るＭＥＭＳ１又は５、ＭＥＭＳ制御装置、及びＭＥＭＳ制御方法は、種々の分野や装置に適用可能であるが、一例としてＭＥＭＳ１又は５を、揺動部2aをミラーとしたＭＥＭＳミラーとしても良い。揺動部2aをミラーとする場合、揺動部2aの表面上には、鏡面加工、又は金やアルミニウム等の金属膜を蒸着等によりコーティングすれば良い。更にこのＭＥＭＳミラーを備えるＭＥＭＳ光スイッチを形成する事も可能となる。このようなＭＥＭＳミラーを使用してＭＥＭＳ光スイッチを形成する事により、前記各効果に加えて、光出力ポートに伝搬される光のリンギングの発生が防止される。よって、光入力ポート及び／又は光出力ポートの光学的なスイッチング時間が短縮され、高速でのスイッチング動作が可能となる。
【００５６】
なお、各電圧に於ける時間t2の長さ（即ち、V2（Ｖ）の供給時間）は、任意に設定可能であり、２つの支持部3a、3bの中心軸毎の揺動に於ける共振が抑制又は防止出来るか、一方の軸周りの不必要な揺動の抑制又は防止が可能となる程度に、それぞれ設定すれば良い。
【００５７】
本実施形態は種々変更可能であり、２つの支持部3a、3bの互いの中心軸が非直交であるＭＥＭＳにも、本発明のＭＥＭＳ制御装置又はＭＥＭＳ制御方法は適用可能である。またＭＥＭＳの構造は静電型式以外でも良いし、支持部3aが揺動部2bに連結されると共に、支持部3bが揺動部2aに連結されている構造のＭＥＭＳでも良い。
【実施例】
【００５８】
以下に本発明の実施例を説明するが、本発明は以下の実施例にのみ限定されない。【００５９】
本実施例のＭＥＭＳとして、図１に示すＭＥＭＳ１を被制御対象とすると共に、揺動部2aをミラーとし、更にＭＥＭＳ１をＭＥＭＳ光スイッチに適用した。そのＭＥＭＳ１にＭＥＭＳ制御装置からＸ電圧（Ｖ）とＹ電圧（Ｖ）をそれぞれ供給し、揺動部2aで反射し光出力ポートに光学的に結合した光パワー（％）を、出力結果とした。なお、Ｘ軸及びＹ軸毎の設定値角度θは、それぞれ１度（degree）に設定した。【００６０】
Ｘ電圧とＹ電圧の各電圧に於ける電圧V2（Ｖ）の制御は、図３〜図６に示す４例とした。各図に於ける光パワーのリンギング有無を評価した結果、各例に於いてリンギングが抑制され、ほぼ解消されている事が確認された。【００６１】
次に比較例として、図７及び図８に示すようなV0（Ｖ）からV1（Ｖ）に直接遷移するＸ電圧（Ｖ）とＹ電圧（Ｖ）をそれぞれ供給した。比較例でもＭＥＭＳ１を被制御対象とし、揺動部2aで反射し光出力ポートに光学的に結合した光パワー（％）を、出力結果とした。また、Ｘ軸及びＹ軸毎の設定値角度θは、それぞれ１度（degree）に設定した。【００６２】
図７及び図８於ける光パワーのリンギング有無を評価した結果、リンギングの発生が確認された。更に、V1（Ｖ）の供給開始時点（０ｍsec時点）からリンギングが収束するまで30ｍsecに亘る時間が必要となる事も判明し、スイッチング時間の冗長化を招いてしまう事も確認された。
【符号の説明】
【００６３】
１          平板電極型ＭＥＭＳ
2a、2b      揺動部
2a1、2b2    外側櫛歯
2b1         内側櫛歯
3a、3b      支持部
４          外側固定枠部
4a          内側櫛歯
５          静電櫛歯型ＭＥＭＳ
【図１】
2019045021.tif 000003
【図２】
2019045021.tif 000004
【図３】
2019045021.tif 000005
【図４】
2019045021.tif 000006
【図５】
2019045021.tif 000007
【図６】
2019045021.tif 000008
【図７】
2019045021.tif 000009
【図８】
2019045021.tif 000010
【図９】
2019045021.tif 000011
【図１０】
2019045021.tif 000012
【国際調査報告】
2019045021.tif 000013
2019045021.tif 000014